(57)【要約】【課題】  アプリケーションに変更を加えることなく且つ簡単な操作で、印刷装置の特性に合わせたコード画像を生成することができる。【解決手段】  アプリケーションからの印刷データＤに含まれたバーコード画像Ｇを抽出するバーコード抽出部４２と、抽出したバーコード画像Ｇの種類情報および文字列情報を判別するバーコード判別部４３と、判別した種類情報および文字列情報に基づいて、バーコード画像Ｇを生成するバーコード生成部４５と、生成したバーコード画像Ｇを、印刷データＤに反映させる画像処理部４６と、反映後の印刷データＤに基づいて、プリンター２を制御する印刷データ送信部４７と、を備えた。【選択図】  図３
2016076094.tif 000002
【特許請求の範囲】
【請求項１】
アプリケーションからの印刷データに含まれたコード画像を抽出するコード画像抽出部と、
抽出した前記コード画像の種類情報、および当該コード画像が示す文字列情報を判別する判別部と、
判別した前記種類情報および前記文字列情報に基づいて、コード画像を生成するコード画像生成部と、
前記コード画像生成部により生成した前記コード画像を、前記印刷データに反映させる画像処理部と、
反映後の前記印刷データに基づいて、印刷装置を制御する印刷制御部と、を備えたことを特徴とする印刷制御装置。
【請求項２】
前記画像処理部は、前記アプリケーションからの前記印刷データに含まれた前記コード画像を、生成した前記コード画像に差し替えることを特徴とする請求項１に記載の印刷制御装置。
【請求項３】
前記画像処理部は、前記アプリケーションからの前記印刷データに含まれた前記コード画像を残しつつ、当該印刷データに、前記コード画像生成部により生成した前記コード画像を付加することを特徴とする請求項１に記載の印刷制御装置。
【請求項４】
前記コード画像は、コード画像本体と、前記コード画像本体に付加された、前記文字列情報を示す文字列画像と、を有し、
前記判別部は、
前記文字列画像を解析して、前記文字列情報を判別し、
前記コード画像本体を解析して、前記種類情報を判別することを特徴とする請求項１ないし３のいずれか１項に記載の印刷制御装置。
【請求項５】
前記判別部は、前記コード画像本体を解析して、前記コード画像のサイズ情報を判別し、
前記コード画像生成部は、判別した前記サイズ情報に基づくサイズで、前記コード画像を生成することを特徴とする請求項４に記載の印刷制御装置。
【請求項６】
前記コード画像の種類毎のバーコードフォントを記憶するバーコードフォント記憶部を更に有し、
前記コード画像生成部は、記憶した前記種類毎のバーコードフォントを用いて、前記コード画像を生成することを特徴とする請求項１ないし５のいずれか１項に記載の印刷制御装置。
【請求項７】
請求項１ないし６のいずれか１項に記載の印刷制御装置と、
前記印刷制御装置が接続された印刷装置と、を備えたことを特徴とする印刷システム。
【発明の詳細な説明】
【技術分野】
【０００１】
本発明は、印刷制御装置および印刷システムに関し、特に、バーコードを印刷する印刷装置を制御する印刷制御装置および印刷システムに関するものである。
【背景技術】
【０００２】
従来、バーコード印刷システムとして、ホストコンピューターと、ホストコンピューターに接続されたプリンター（印刷装置）と、を備えたものが知られている（特許文献１参照）。このホストコンピューターには、アプリケーションと、プリンタードライバーとがインストールされている。そして、このバーコード印刷システムでは、バーコード（コード画像）を印刷する場合、アプリケーション上で、ユーザーに、バーコードの種類を指定させ且つバーコード化したい文字列を入力させる。その後、指定／入力結果に基づいて、プリンタードライバーが、バーコードを印刷させるための印刷データを生成し、これをプリンターに送信する。これを受けて、プリンターが、バーコードを印刷する。
このように、プリンタードライバー側で、バーコードを印刷させるための印刷データを生成する構成になっている。これによって、プリンターの特性に合わせた（プリンターの特性に最適化された）印刷データを生成することができる。これにより、バーコードの描画精度が向上し、印刷されたバーコードの認識率（読取り信頼性）が向上する。
【先行技術文献】
【特許文献】
【０００３】
【特許文献１】特開２００４−９８６９５号公報
【発明の概要】
【発明が解決しようとする課題】
【０００４】
しかしながら、上記従来の印刷システムでは、バーコードを印刷するために、一般的なアプリケーションに、バーコードの種類の指定機能や、バーコード化したい文字列の入力機能等を追加する必要があった。すなわち、アプリケーションに変更を加えなければならないという問題があった。また、通常の印刷とは異なり、バーコードの種類の指定や、バーコード化した文字列の入力を行う必要があるため、ユーザーによる操作が煩雑になってしまうという問題もある。特に、このような仕様に慣れていないユーザーにとって、これがバーコード印刷の使用効率を下げる要因になっていた。
【０００５】
本発明は、アプリケーションに変更を加えることなく且つ簡単な操作で、印刷装置の特性に合わせたコード画像を生成することができる印刷制御装置および印刷システムを提供することを課題とする。
【課題を解決するための手段】
【０００６】
本発明の印刷制御装置は、アプリケーションからの印刷データに含まれたコード画像を抽出するコード画像抽出部と、抽出したコード画像の種類情報、および当該コード画像が示す文字列情報を判別する判別部と、判別した種類情報および文字列情報に基づいて、コード画像を生成するコード画像生成部と、コード画像生成部により生成したコード画像を、印刷データに反映させる画像処理部と、反映後の印刷データに基づいて、印刷装置を制御する印刷制御部と、を備えたことを特徴とする。
【０００７】
上記の印刷制御装置において、画像処理部は、アプリケーションからの印刷データに含まれたコード画像を、生成したコード画像に差し替えることが好ましい。
【０００８】
上記の印刷制御装置において、画像処理部は、アプリケーションからの印刷データに含まれたコード画像を残しつつ、当該印刷データに、コード画像生成部により生成したコード画像を付加することが好ましい。
【０００９】
これらの構成によれば、アプリケーションからの印刷データからコード画像（バーコードや二次元コード等）を抽出する。その後、抽出したコード画像を解析し、この解析結果（種類情報および文字列情報）に基づいて、コード画像を生成する。そして、生成したコード画像を、印刷データに反映させる。このように、プリンタードライバーで、コード画像を改めて生成しこれを印刷データに反映する構成であるため、印刷装置の特性に合わせたコード画像を生成することができ、印刷装置の特性に合わせたコード画像を印刷させることができる。また、アプリケーション側は、通常の印刷と同様、印刷データをプリンタードライバーに出力するだけで良いため、アプリケーションに変更を加える必要がない。さらに、コード画像の種類の指定や文字列入力といった操作を行う必要がないため、簡単な操作で、コード画像を印刷させることができる。このように、アプリケーションに変更を加えることなく且つ簡単な操作で、印刷装置の特性に合わせたコード画像を生成することができ、印刷装置の特性に合わせたコード画像を印刷させることができる。よって、印刷されたコード画像の認識率（読取り信頼性）を向上させることができる。
【００１０】
これらの場合、コード画像は、コード画像本体と、コード画像本体に付加された、上記文字列情報を示す文字列画像と、を有し、判別部は、文字列画像を解析して、文字列情報を判別し、コード画像本体を解析して、種類情報を判別することが好ましい。
【００１１】
この構成によれば、文字列情報を、コード画像本体に付加された文字列画像から判別する構成であるため、文字列情報を正確に判別することができる。すなわち、コード画像本体から文字列情報を判別する場合、コード画像の種類情報が判別されている必要があり、この種類情報を用いて、コード画像本体から文字列情報を判別する。このとき、コード画像の種類情報が正確に判別できなかった場合、これに伴って文字列情報も正確に判別することができなくなってしまう。これに対し、上記構成によれば、コード画像の種類情報が正確に判別できなかった場合にも、文字列情報については、正確に判別することができる。
なお、文字列画像から得られた文字列情報を利用して（参考値として）、コード画像本体から種類情報を判別する構成であっても良い。また、コード画像本体から種類情報および文字列情報を判別し、文字列画像から得られた文字列情報を用いて（確認値として）、判別結果（種類情報および文字列情報）が正しいか否かを確認する構成であっても良い。
【００１２】
この場合、判別部は、コード画像本体を解析して、コード画像のサイズ情報を判別し、コード画像生成部は、判別したサイズ情報に基づくサイズで、コード画像を生成することが好ましい。
【００１３】
この構成によれば、改めてコード画像を生成する際に、元のコード画像に合わせたサイズで、コード画像を生成することができる。
【００１４】
一方、コード画像の種類毎のバーコードフォントを記憶するバーコードフォント記憶部を更に有し、コード画像生成部は、記憶した種類毎のバーコードフォントを用いて、コード画像を生成することが好ましい。
【００１５】
この構成によれば、バーコードフォントを用いることで、簡単な処理で、コード画像を生成することができる。
【００１６】
本発明の印刷システムは、上記の印刷制御装置と、印刷制御装置が接続された印刷装置と、を備えたことを特徴とする。
【００１７】
この構成によれば、認識率の高いコード画像を印刷することができる。
【図面の簡単な説明】
【００１８】
【図１】本発明の一実施形態に係る印刷システムのシステム構成図である。
【図２】ホストコンピューターの制御構成を示した制御ブロック図である。
【図３】印刷システムによるバーコード印刷動作を示したフローチャートである。
【図４】印刷システムによるバーコード印刷動作を示した説明図である。
【発明を実施するための形態】
【００１９】
以下、添付の図面を参照し、本発明の一実施形態に係る印刷制御装置および印刷システムについて説明する。実施形態では、本発明の印刷制御装置を適用したホストコンピューターおよび、これを備えた印刷システムを例示する。この印刷システムは、ホストコンピューターにより、印刷データを生成し、プリンターにより、この印刷データに基づいて印刷処理を行うものである。特に、本印刷システムは、バーコード印刷を行うことができる機能を有するものであり、アプリケーションに変更を加えずに、印刷装置の特性に合わせたバーコード印刷を行うことができる構成を有したものである。
【００２０】
図１に示すように、印刷システムＳＹは、印刷指示を行うホストコンピューター１（印刷制御装置）と、ホストコンピューター１が接続されると共に、ホストコンピューター１からの印刷データＤ（図４参照）を受けて印刷処理を行うプリンター２（印刷装置）と、により構成される。ホストコンピューター１とプリンター２とは、ケーブル３を介して接続され、有線通信によって、各種データを相互に送受信可能に構成される。なお、本実施形態では、ホストコンピューター１とプリンター２とを有線通信により接続する構成としたが、ホストコンピューター１とプリンター２とを無線通信により接続する構成であっても良い。また、ホストコンピューター１とプリンター２とを直接接続する構成であっても良いし、ホストコンピューター１とプリンター２とを、ネットワーク（インターネットやローカルエリアネットワーク）を介して接続する構成であっても良い。
【００２１】
ホストコンピューター１は、一般的なパーソナルコンピューター等を利用可能であり、キーボードやマウス等を有する入力部１１と、ディスプレイ等を有する表示部１２と、プリンター２との通信を行う通信部１３と、各部を制御する制御部１４と、を備える。
【００２２】
制御部１４は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成される。そして、制御部１４には、印刷データＤを作成するアプリケーションと、プリンター２を制御するためのプリンタードライバーと、がインストールされている。このように、ホストコンピューター１は、制御部１４に、アプリケーションがインストールされることで、「印刷データ作成装置」として機能する。また、ホストコンピューター１は、制御部１４に、プリンタードライバーがインストールされていることで、「印刷制御装置」として機能する。詳細は後述するが、ホストコンピューター１は、印刷データＤを制御データとしてプリンター２に送信することで、プリンター２を制御し、プリンター２に印刷処理を行わせる。
【００２３】
一方、プリンター２は、ホストコンピューター１との通信を行う通信部３１と、プリンターコントローラー３２と、プリンターエンジン３３と、を備える。通信部３１は、ホストコンピューター１からの印刷データＤを受信する。プリンターコントローラー３２は、受信した印刷データＤに基づいてプリンターエンジン３３の印刷制御を行う。プリンターエンジン３３は、プリンターコントローラー３２の印刷制御によって、印刷用紙に対し印刷処理を行う。
【００２４】
次に図２を参照して、ホストコンピューター１の制御構成について説明する。図２に示すように、ホストコンピューター１は、アプリケーションを実行するアプリケーション実行部２１と、プリンタードライバーを実行するプリンタードライバー実行部２２と、を有する。
【００２５】
アプリケーションは、印刷データＤを作成するソフトウェアであり、例えば、文章作成ソフト、表作成ソフトやプレゼンテーション資料作成ソフト等である。アプリケーション実行部２１は、ユーザーの操作に従って印刷データＤを作成し、作成した印刷データＤをプリンタードライバー実行部２２に出力する。また、アプリケーション実行部２１は、バーコードを印刷する場合、バーコードの画像を含んだ印刷データＤを作成し、これを出力する。なお、以下、当該バーコードの画像をバーコード画像Ｇ（コード画像）と呼称する。
【００２６】
プリンタードライバー実行部２２は、印刷データ取得部４１と、バーコード抽出部４２（コード画像抽出部）と、バーコード判別部４３（判別部）と、バーコードフォント記憶部４４と、バーコード生成部４５（コード画像生成部）と、画像処理部４６と、印刷データ送信部４７（印刷制御部）と、を有する。
【００２７】
印刷データ取得部４１は、アプリケーション実行部２１から出力された印刷データＤを受け付けて、これを取得する。すなわち、印刷データ取得部４１は、アプリケーション実行部２１で作成された印刷データＤを取得する。
【００２８】
バーコード抽出部４２は、アプリケーション実行部２１からの印刷データＤを画像認識して、当該印刷データＤに含まれたバーコード画像Ｇ（図４参照）を抽出する。バーコード画像Ｇは、バーコード本体Ｇ１と、バーコード本体Ｇ１に付加された文字列画像Ｇ２と、を有する場合がある。かかる場合、バーコード抽出部４２は、バーコード画像Ｇとして、バーコード本体Ｇ１のみならず、文字列画像Ｇ２も一緒に抽出する。なお、文字列画像Ｇ２は、バーコード画像Ｇの文字列情報を示す画像であり、すなわち、バーコード本体Ｇ１が示す文字列の画像である。
【００２９】
バーコード判別部４３は、抽出したバーコード画像Ｇを解析して、そのバーコードの種類情報および文字列情報を判別する。種類情報は、バーコードの種類（規格）を示す情報であり、文字列情報は、バーコード画像Ｇが示す文字列である。バーコード判別部４３は、まず、抽出したバーコード画像Ｇのバーコード本体Ｇ１を解析して、バーコード本体Ｇ１から種類情報を判別する。その後、判別した当該種類情報を用いつつ、バーコード本体Ｇ１を解析して、バーコード本体Ｇ１から文字列情報を判別する。すなわち、判別した種類情報によって、バーコード本体Ｇ１から文字列情報を判別する。
【００３０】
バーコードフォント記憶部４４は、バーコードの種類毎のバーコードフォントを記憶するデーターベースである。すなわち、バーコードの種類毎に、各文字を示す個別バーコード画像を、フォントデータとして記憶している。
【００３１】
バーコード生成部４５は、判別した種類情報および文字列情報に基づいて、バーコード本体Ｇ１と文字列画像Ｇ２とから成るバーコード画像Ｇを生成する。具体的には、バーコード生成部４５は、上記バーコードフォント記憶部に記憶されたバーコードフォントを用いて、バーコード画像Ｇのバーコード本体Ｇ１を生成する。すなわち、バーコードフォント記憶部４４から、種類情報が示す種類の、文字列情報が示す各文字の個別バーコード画像を抽出し、これを用いてバーコード本体Ｇ１を生成する。このとき、バーコード生成部４５は、プリンター２の特性（印刷方式等）に合わせたバーコード本体Ｇ１を生成する。例えば、印刷方式が、レーザー方式であるか、インクジェット方式であるかによって、レーザー方式に合わせたバーコード本体Ｇ１や、インクジェット方式に合わせたバーコード本体Ｇ１を生成する。また、バーコード生成部４５は、文字列情報が示す文字列の文字列画像Ｇ２を生成する。そして、バーコード生成部４５は、生成したバーコード本体Ｇ１に、生成した文字列画像Ｇ２を付加して、バーコード画像Ｇを生成する。
【００３２】
画像処理部４６は、アプリケーション実行部２１からの印刷データＤに、バーコード生成部４５により生成したバーコード画像Ｇを反映させる。本実施形態では、画像処理部４６は、バーコード画像Ｇを反映するのに、アプリケーション実行部２１（アプリケーション）からの印刷データＤに含まれたバーコード画像Ｇを、バーコード生成部４５で生成したバーコード画像Ｇに差し替える（置き換える）処理を行う。すなわち、画像処理部４６は、印刷データＤ上のバーコード画像Ｇを、プリンタードライバー実行部２２（プリンタードライバー）側で生成したものに差し替える処理を行う。
【００３３】
印刷データ送信部４７は、印刷データＤを制御データとしてプリンター２に送信する。すなわち、印刷データ送信部４７は、印刷データＤを送信することで、印刷データＤに基づいてプリンター２を制御し、プリンター２に印刷処理を行わせる。また、印刷データ送信部４７は、バーコード印刷を行う場合、バーコード生成部４５により生成したバーコード画像Ｇが画像処理部４６により反映された反映後の印刷データＤを、プリンター２に送信する。すなわち、印刷データ送信部４７は、バーコード画像Ｇを含む印刷データＤを送信することで、バーコード画像Ｇを含む印刷画像をプリンター２に印刷させる。
【００３４】
ここで図３および図４を参照して印刷システムＳＹによるバーコード印刷動作について説明する。このバーコード印刷動作は、バーコード画像Ｇを含む印刷画像を印刷するものである。
【００３５】
図３に示すように、まず、ホストコンピューター１のアプリケーション実行部２１は、ユーザーの操作を受けて、バーコード画像Ｇを含む印刷データＤを作成する（Ｓ１）。その後、作成された印刷データＤをプリンタードライバー実行部２２に出力する（Ｓ２）。
【００３６】
これに対し、ホストコンピューター１のプリンタードライバー実行部２２は、印刷データ取得部４１により、アプリケーション実行部２１からの印刷データＤを受け付け、これを取得する（Ｓ３）。ここで取得した印刷データＤの一例を、図４（ａ）で示す。
【００３７】
印刷データＤを取得したら、バーコード抽出部４２により、取得した印刷データＤに含まれるバーコード画像Ｇを抽出する（Ｓ４）（図４（ｂ））。バーコード画像Ｇを抽出したら、バーコード判別部４３により、抽出したバーコード画像Ｇの種類情報および文字列情報を判別する（Ｓ５）（図４（ｃ））。
【００３８】
種類情報および文字列情報を判別したら、バーコード生成部４５により、これらに基づいて、バーコード画像Ｇを生成（再生成）する（Ｓ６）（図４（ｄ））。その後、画像処理部４６により、生成したバーコード画像Ｇを、印刷データＤに反映させる（Ｓ７）（図４（ｅ））。すなわち、印刷データＤに含まれたバーコード画像Ｇを、生成したバーコード画像Ｇに差し替える処理を行う。
【００３９】
生成したバーコード画像Ｇを印刷データＤに反映したら、印刷データ送信部４７により、反映後の印刷データＤをプリンター２に送信する（Ｓ８）。これに対し、プリンター２は、当該印刷データＤを受信し（Ｓ９）、受信した印刷データＤに基づいて印刷用紙に対し印刷処理を行う（Ｓ１０）。これによって、バーコード画像Ｇが含まれた印刷画像が印刷される。これにより、本バーコード印刷動作を終了する。
【００４０】
以上のような構成によれば、プリンタードライバー（プリンタードライバー実行部２２）で、バーコード画像Ｇを改めて生成しこれを印刷データＤに反映する構成であるため、プリンター２の特性に合わせたバーコード画像Ｇを生成することができ、プリンター２の特性に合わせたバーコード画像Ｇを印刷させることができる。また、アプリケーション（アプリケーション実行部２１）側は、通常の印刷と同様、印刷データＤをプリンタードライバー（プリンタードライバー実行部２２）に出力するだけで良いため、アプリケーションに変更を加える必要がない。さらに、バーコード画像Ｇの種類の指定や文字列入力といった操作を行う必要がないため、簡単な操作で、バーコード画像Ｇを印刷させることができる。このように、アプリケーションに変更を加えることなく且つ簡単な操作で、プリンター２の特性に合わせたバーコード画像Ｇを生成することができ、プリンター２の特性に合わせたバーコード画像Ｇを印刷させることができる。よって、印刷されたバーコード画像Ｇの認識率（読取り信頼性）を向上させることができる。
【００４１】
また、バーコード生成部４５が、バーコードフォントを用いてバーコード画像Ｇを生成する構成であるため、簡単な処理で、バーコード画像Ｇを生成することができる。
【００４２】
なお、上記実施形態においては、画像処理部４６が、生成したバーコード画像Ｇを印刷データＤに反映させるのに、印刷データＤに含まれたバーコード画像Ｇを、生成したバーコード画像Ｇに差し替える構成であったが、これに限るものではない。例えば、画像処理部４６が、生成したバーコード画像Ｇを印刷データＤに反映させるのに、印刷データＤに含まれたバーコード画像Ｇを残しつつ、当該印刷データＤに、生成したバーコード画像Ｇを付加（追加）する構成であっても良い。
【００４３】
また、上記実施形態においては、バーコード判別部４３が、バーコード本体Ｇ１を解析して、バーコード本体Ｇ１から種類情報および文字列情報を判別する構成であったが、バーコード本体Ｇ１を解析して、バーコード本体Ｇ１から種類情報を判別する一方、文字列画像Ｇ２を解析して、文字列画像Ｇ２から文字列情報を判別する構成であっても良い。かかる構成によれば、文字列情報を正確に判別することができる。
【００４４】
また、文字列画像Ｇ２から得られた文字列情報を利用して（参考値として）、バーコード本体Ｇ１から種類情報を判別する構成であっても良い。また、バーコード本体Ｇ１から種類情報および文字列情報を判別した後、文字列画像Ｇ２から得られた文字列情報を用いて（確認値として）、上記判別結果（種類情報および文字列情報）が正しいか否かを確認（判定）する構成であっても良い。
【００４５】
さらに、上記実施形態において、バーコード判別部４３が、印刷データＤに含まれたバーコード画像Ｇのサイズ情報（サイズを示す情報）を判別し、バーコード生成部４５が、サイズ情報が示すサイズに合わせたサイズで、バーコード画像Ｇを生成することが好ましい。かかる構成によれば、バーコード生成部４５がバーコード画像Ｇを生成する際に、元のコード画像に合わせたサイズで、バーコード画像Ｇを生成することができる。
【００４６】
またさらに、上記実施形態においては、バーコード生成部４５が、バーコード本体Ｇ１および文字列画像Ｇ２から成るバーコード画像Ｇを生成する構成であったが、文字列画像Ｇ２を生成せず、バーコード本体Ｇ１のみから成るバーコード画像Ｇを生成する構成であっても良い。また、アプリケーション（アプリケーション実行部２１）からの印刷データＤに含まれたバーコード画像Ｇが、文字列画像Ｇ２を含んでいるか否か（文字列画像Ｇ２が付加されているか否か）に基づいて、文字列画像Ｇ２を含んでいる場合には、文字列画像Ｇ２を含むバーコード画像Ｇを生成し、文字列画像Ｇ２を含んでいない場合には、文字列画像Ｇ２を含まないバーコード画像Ｇを生成する構成であっても良い。
【００４７】
なお、上記実施形態においては、バーコード画像Ｇを印刷する印刷制御装置（ホストコンピューター１）や印刷システムＳＹに、本発明を適用したが、これに限るものではない。すなわち、二次元コード等の他のコード画像を印刷する印刷制御装置や印刷システムＳＹに、本発明を適用する構成であっても良い。
【符号の説明】
【００４８】
１：ホストコンピューター、  ２：プリンター、  ２１：アプリケーション実行部、  ２２：プリンタードライバー実行部、  ４２：バーコード抽出部、  ４３：バーコード判別部、  ４４：バーコードフォント記憶部、  ４５：バーコード生成部、  ４６：画像処理部、  ４７：印刷データ送信部、  Ｄ：印刷データ、  Ｇ：バーコード画像、  Ｇ１：バーコード本体、  Ｇ２：文字列画像、  ＳＹ：印刷システム
【図１】
2016076094.tif 000003
【図２】
2016076094.tif 000004
【図３】
2016076094.tif 000005
【図４】
2016076094.tif 000006